(57)【特許請求の範囲】
【請求項１】
前扉を上下に２分割して形成された上前扉と下前扉を、キャビネットの開口部に蝶番を介して開閉可能に取り付けてなる回胴式ゲーム機の施錠装置であって、
該上前扉の自由端側に縦に固定され、上部と下部に鉤部をキャビネット側に向けて突設した施錠杆を、基枠体内に摺動可能に配設した上前扉用施錠具と、
該下前扉の自由端側に縦に固定され、基枠体の上部と下部に傾動可能に鉤部材を枢支し、上下の該鉤部材を該基枠体の内側に摺動可能に配設した連結杆により連結し、該基枠体に取り付けたシリンダ錠の錠軸にカム板が固定され、該カム板の回転に応じて該カム板の係合部を該連結杆に係合させ該連結杆を摺動させて該鉤部材を解錠動作させる下前扉用施錠具と、
を備え、前記上前扉用施錠具の施錠杆の下端部に解錠用操作部が設けられ、該下前扉を開いた状態で該上前扉の下側から該解錠用操作部を操作して、該上前扉用施錠具を解錠することを特徴とする回胴式ゲーム機の施錠装置。
【請求項２】
前記キャビネットの側壁部内側に１本の受け金具が縦に固定され、該受け金具には前記上前扉用施錠具の上下の鉤部が係止可能な係止部と前記下前扉用施錠具の上下の鉤部材が係止可能な係止部が形成されていることを特徴とする請求項１記載の回胴式ゲーム機の施錠装置。
【請求項３】
前記上前扉用施錠具の鉤部と下前扉用施錠具の鉤部材に隣接する位置に基枠体の支持板を延設して当て部が形成され、該鉤部又は該鉤部材がキャビネット側に設けた受け金具の係止部に係止され施錠された状態で、該係止部が該当て部に当接可能とし、該上前扉又は下前扉の上方への移動を阻止することを特徴とする請求項１記載の回胴式ゲーム機の施錠装置。
【請求項４】
前記上前扉と下前扉が閉鎖された状態で、前記下前扉用施錠具の上端部が前記上前扉用施錠具の施錠杆の解錠用操作部に係合可能として、該施錠杆の解錠側への移動が阻止される構造としたことを特徴とする請求項１記載の回胴式ゲーム機の施錠装置。
【請求項５】
前扉を上下に２分割して形成された上前扉と下前扉を、キャビネットの開口部に蝶番を介して開閉可能に取り付けてなる回胴式ゲーム機の施錠装置であって、
該上前扉の自由端側に縦に固定され、上部と下部に鉤部をキャビネット側に向けて突設した施錠杆を、基枠体内に摺動可能に配設した上前扉用施錠具と、
該下前扉の自由端側に縦に固定され、上部と下部に鉤部をキャビネット側に向けて突設した施錠杆を、基枠体内に摺動可能に配設し、基枠体に取り付けたシリンダ錠の錠軸にカム板が固定され、該カム板の回転に応じて該カム板の係合部を該施錠杆に係合させ該施錠杆を摺動させて該鉤部を解錠動作させる下前扉用施錠具と
を備え、前記上前扉用施錠具の施錠杆の下端部に解錠用操作部が設けられ、該下前扉を開いた状態で該上前扉の下側から該解錠用操作部を操作して、該上前扉用施錠具を解錠することを特徴とする回胴式ゲーム機の施錠装置。
【発明の詳細な説明】
【０００１】
【発明の属する技術分野】
本発明は、スロットマシン等の回胴式ゲーム機の前扉を施錠するための施錠装置に関する。
【０００２】
【従来の技術】
主にパチンコホールに設置されるスロットマシン等の回胴式ゲーム機は、一般に、キャビネット（本体箱）の前面に１枚の前扉がヒンジを介して開閉可能に装着され、営業時間中における遊技メダルの補充や営業時間外における回胴回転装置の保守点検などに、前扉を開いて各種作業が容易にできるようにしている。
【０００３】
また、この種のスロットマシンのキャビネットは、一般に縦長で比較的大きな容積と開口部を持って形成され、その前扉の上部には回胴回転装置が装着されると共に、キャビネット内上部にはコンピュータを主要部とする制御回路部や集合端子部が配設され、キャビネット内下部には、遊技メダルを溜めるホッパーバケットやメダル排出装置、さらには電源部等が収納されている。
【０００４】
【発明が解決しようとする課題】
遊技場の営業時間中等に係員がスロットマシンの前扉を開く場合は、通常、主にメダル排出装置の遊技メダルが排出により不足する事態になった時であり、その際には、係員がキーを前扉のシリンダ錠に差し込み、解錠して前扉を開き、遊技メダルの補充を行う。
【０００５】
しかしながら、前扉を解錠すると、必然的にキャビネットの前扉全体を開くことになって、遊技メダルをメダル排出装置のタンクに補充するだけの作業に、スロットマシンの心臓部とも言うべき制御回路部等の内部全体を露出する結果となる。このために、ゲームの進行に重要な制御回路部や回胴の内側が無防備な状態となって、前扉を開いた際に、不正行為がし易くなるという問題があった。
【０００６】
そこで、回胴式ゲーム機の前扉を上前扉と下前扉の２枚に分けて構成し、上前扉をキャビネットの上部開口部に取り付け、下前扉をその下部開口部に取り付けた回胴式ゲーム機が開発されている。
【０００７】
このような上前扉と下前扉を分けて設けた回胴式ゲーム機の場合、その各々に施錠装置を設ける必要はあるが、シリンダ錠付きの施錠装置を上前扉と下前扉の各々に装着した場合、シリンダ錠を前扉に貫通させる箇所を上前扉と下前扉の各々に形成し、その前面側に露出させる部分を上下２か所に設けることとなって、部品点数が増して構造が複雑化し、更に回胴式ゲーム機の前面の意匠性が悪化し、加えて、解錠操作性についてもキーを用いて両方の前扉を解錠することになるため、操作が煩雑化する課題があった。
【０００８】
【課題を解決するための手段】
本発明は、上記の課題を解決するためになされたもので、前扉を上下に２分割して形成された上前扉と下前扉を有する回胴式ゲーム機の施錠装置において、上前扉と下前扉を簡単な操作で施錠・解錠することができ、比較的簡単な構造の施錠装置を提供することを目的とする。
【０００９】
このために、本発明の回胴式ゲーム機の施錠装置は、前扉を上下に２分割して形成された上前扉と下前扉を、キャビネットの開口部に蝶番を介して開閉可能に取り付けてなる回胴式ゲーム機の施錠装置であって、上前扉の自由端側に縦に固定され、上部と下部に鉤部をキャビネット側に向けて突設した施錠杆を、基枠体内に摺動可能に配設した上前扉用施錠具と、下前扉の自由端側に縦に固定され、基枠体の上部と下部に傾動可能に鉤部材を枢支し、上下の鉤部材を基枠体の内側に摺動可能に配設された連結杆により連結し、基枠体に取り付けたシリンダ錠の錠軸にカム板を固定し、カム板の回転に応じてカム板の係合部を連結杆に係合させて連結杆を摺動させ、鉤部材を解錠動作させる下前扉用施錠具と、を備え、上前扉用施錠具の施錠杆の下端部には解錠用操作部が設けられ、下前扉を開いた状態で上前扉の下側から解錠用操作部を操作して、上前扉用施錠具を解錠するように構成される。
【００１０】
ここで、キャビネット側に設ける受け金具については、キャビネットの側壁部内側に１本の受け金具を縦に固定し、その受け金具には上前扉用施錠具の上下の鉤部が係止可能な係止部と下前扉用施錠具の上下の鉤部材が係止可能な係止部を各々の位置に形成することができる。
【００１１】
また、上前扉用施錠具の鉤部と下前扉用施錠具の鉤部材に隣接する位置に基枠体の支持板を延設して当て部を形成し、鉤部又は鉤部材がキャビネット側に設けた受け金具の係止部に係止され施錠された状態で、係止部が当て部に当接可能な構造とし、これによって、上前扉又は下前扉の上方への移動を阻止する構造とすることができる。
【００１２】
また、上前扉と下前扉が閉鎖された状態で、下前扉用施錠具の上端部が上前扉用施錠具の施錠杆の解錠用操作部に係合可能として、施錠杆の解錠側への移動を阻止する構造とすることにより、上前扉用施錠具の施錠杆が針金等で不正に動かされて、不正解錠される行為を防止することができる。
【００１３】
【作用】
上記構成の回胴式ゲーム機の施錠装置は、上前扉用施錠具が上前扉の自由端側に縦に固定され、下前扉用施錠具が下前扉の自由端側に縦に固定される。キャビネットの側壁部内側には、各施錠具の鉤部又は鉤部材を係止可能な２対の係止部を有する受け金具が縦に固定される。
【００１４】
上前扉を閉じると、上部と下部に鉤部を有する施錠杆が上下に移動して鉤部が受け金具の係止部に係止され、施錠される。また、下前扉を閉じると、上部と下部の鉤部材が傾動しながら受け金具の係止部に係止され、施錠状態となる。
【００１５】
下前扉を解錠する場合は、所定の鍵をシリンダ錠に挿入し、その錠軸を回してカム板を回動させ、連結杆を介して鉤部材を傾動させ、受け金具の係止部との係合を解除して解錠する。また、上前扉を解錠する場合は、下前扉を開いた状態で、その開口部から上前扉用施錠具の下端部に手を差し入れ、その下部に突き出した解錠用操作部を例えば下に引くように操作する。このとき、上前扉用施錠具の施錠杆が例えば下に移動してその上下の鉤部の係止部との係合が解除され、解錠されて下前扉が開放される。
【００１６】
このように、回胴式ゲーム機の前扉が上下に２分割され上前扉と下前扉として装着されている場合、上前扉用施錠具と下前扉用施錠具によって各扉を独立して施錠することができると共に、上前扉用施錠具については、シリンダ錠を設けずに鉤部を上下に有する施錠杆を基枠体内に摺動可能に設けるだけの簡単な構造として、少ない部品点数で簡単に製造することができる。また、シリンダ錠は下前扉用施錠具に設けられるだけであり、遊技メダルの充填等の際には、従来のような大型の前扉ではなく、小型の下前扉のみを下前扉用施錠具を解錠して開放し、作業を行うことができる。従って、小型の下前扉のみを開放するため、邪魔にならず、また、重要なキャビネット内上部の制御回路部を入れた上前扉を閉じた状態で作業を行うことができるから、安全性を確保できる。
【００１７】
【発明の実施の形態】
以下、本発明の実施例を図面に基づいて説明する。図１は回胴式ゲーム機の斜視図を、図２は同ゲーム機の縦断面図を示している。１は回胴式ゲーム機のキャビネット（本体）で、キャビネット１の前面開口部には、上下に２分割して形成された上前扉３２と下前扉３１が、各々、蝶番を介して開閉可能に取り付けている。
【００１８】
下前扉３１の自由端部に下前扉用施錠具１０が縦に取り付けられ、同様に上前扉３２の自由端部に上前扉施錠具２０が縦に取り付けられる。一方、キャビネット１側の対応箇所の内側縁部には受け金具３３が縦に固定され、受け金具３３には、下前扉用施錠具１０の鉤部材７、８が係止される係止部３４、３５と、上前扉施錠具２０の鉤部２７、２８が係止される係止部３６、３７が設けられる。
【００１９】
図３、４に示すように、下前扉用施錠具１０の基枠体３は、取付板１と支持板２を断面略Ｌ字状（一部断面略コ字状）に成形して縦長の枠状に形成され、支持板２の上部幅広部には鉤部材７が軸７ａにより傾動可能に軸支され、支持板２の下部幅広部には鉤部材８が軸８ａにより傾動可能に軸支される。また、取付板１の上部寄りには、シリンダ錠４を取り付けるための補助取付板１２が左側に突き出して固定される。その補助取付板１２にはシリンダ錠４嵌挿用の孔が形成され、その孔にフランジ４ｂ付きのシリンダ錠４を嵌挿させ、フランジ４ｂを補助取付板１２にねじ止めして固定する。
【００２０】
上下の鉤部材７、８の中間部は軸９ｃで長尺の連結杆９により連結される。連結杆９は、支持板２の内側に沿つて摺動可能に配設される。支持板２の一部を切り起してガイド部２ａが形成され、このガイド部２ａによって連結杆９は摺動をガイドされ、また、連結杆９に設けた長孔９ｂを支持板２の内側に突設されたガイド凸部２ｂに嵌入させることによっても、連結杆９はその上下動をガイドされる。連結杆９と作動杆６の間に、連結杆９を上方に付勢し、作動杆６を下方に付勢するためのコイルばね１３が掛けられる。作動杆６は、基枠体１の中間部に取り付けた非接触スイッチ１４をオンオフさせるための部材で、連結杆９と支持板２の間に摺動可能に配設される。
【００２１】
図４に示すように、シリンダ錠４の錠軸４ｃの先端にカム板５が固定され、このカム板５には第一係合部５ａと第二係合部５ｂが設けられる。図４の反時計方向にカム板５が回転した時、第二係合部５ｂが連結杆９の係合部９ａに係合して連結杆９を下方に移動させ、鉤部材７、８を傾動させて解錠を行う。一方、図４の時計方向にカム板５が回転した時、第一係合部５ａが作動杆６の係合部６ａと係合して作動杆６を上方に移動させ、非接触スイッチ１４をオンオフさせる。
【００２２】
さらに、支持板２の下部が幅広に形成され、その幅広部の外側にローラ１１が回転自在に軸支され、このローラ１１は下前扉３１の閉鎖時に、キャビネット３０側に取付けられた受け金具３３の滑り板３８上にのり上げ、開閉動作を容易にする。
【００２３】
なお、シリンダ錠４は円筒部４ａを有した長尺の錠として形成され、シリンダ錠の先端が下前扉３１の正面側に露出して位置するように長尺に形成される。
【００２４】
ところで、支持板２の上部と下部の鉤部材７、８が軸支される箇所、つまり鉤部材７、８と隣接する支持板２の延設部分であって、鉤部材７、８の係合凹部に進入した受け金具３３の係止部３４、３５が当接可能な部分に、当て部２ｃが形成される（図３）。この当て部２ｃは施錠状態で鉤部材７、８が受け金具３３の係止部３４、３５に係合した状態で、下前扉３１が持ち上げられた場合、鉤部材７、８の下側への傾動を阻止すると共に、下前扉３１自体の上方への移動を阻止して、下前扉３１が蝶番の可動部ごと固定部から外されることを防止する。
【００２５】
ゲーム機の蝶番は、通常、その扉側の可動部をキャビネット側の固定部に上方から下方に差し込むようにして組み付けるため、その逆に扉側の可動部を上方に押しあげると、蝶番が外れる恐れがあるが、この支持板２の当て部２ｃによって下前扉３１の上移動を阻止し蝶番の外れを防止する。
【００２６】
下前扉用施錠具１０は、図２、図１１等に示すように、スロットマシン等の回胴式ゲーム機における下前扉３１の内側に、その基枠体３の取付板１をねじで固定して縦に装着される。シリンダ錠４は下前扉３１内を貫通し、その先端が下前扉の前面に露出する。一方、キャビネット３０側に、断面略Ｌ形で縦長の枠状に形成された受け金具３３が、上下の鉤部材７、８に対応した位置に係止部３６、３７を各々設けて取付けられる。また、受け金具３３の下部に滑り板３８が設けられる。
【００２７】
一方、上前扉用施錠具２０は、図６、図７に示すように、基枠体２３が取付板２１と支持板２２を断面略Ｌ字状（一部断面略コ字状）に成形して縦長の枠状に形成され、支持板２の内側に沿って施錠杆２９が上下に摺動可能に配設される。施錠杆２９の上部と下部には鉤部２７、２８が後方に突出して一体に設けられ、更に、施錠杆２９の下部に解錠用操作部２９ａが下方に突出して設けられる。また、施錠杆２９にはガイド孔２９ｂが設けられ、そのガイド孔２９ｂにガイドピン２５が挿通されて支持板２２に取り付けられる。
【００２８】
更に、支持板２２の一部を切り起こしてガイド部２２ａが形成され、このガイドピン２５とガイド部２２ａによって施錠杆２９は縦に摺動可能にガイドされる。また、この施錠杆２９と取付板２１との間にコイルばね２４がかけ渡され、施錠杆２９を施錠側（上方）に付勢している。また、取付板２１の一部には、非接触スイッチ１４が施錠杆２９の解錠動作時にオンオフ動作するように取り付けられる。
【００２９】
また、この上前扉用施錠具２０には、支持板２２の上部と下部に延設される部分であって鉤部２７、２８と隣接する箇所、つまり受け金具３３の係止部３６、３７が鉤部２７、２８と係合した状態で当接可能な部分に、当て部２２ｃが形成される（図６）。この当て部２２ｃは施錠時、鉤部２７、２８が受け金具３３の係止部３６、３７に係合した状態で、上前扉３２が持ち上げられた場合、鉤部２７、２８の下側への移動を阻止すると共に、上前扉３２自体の上方への移動を阻止して、上前扉３２が蝶番の可動部ごと固定部から外されることを防止する。
【００３０】
上前扉用施錠具２０は、図２、図１２等に示すように、スロットマシン等の回胴式ゲーム機における上前扉３２の内側に、その基枠体２３の取付板２１をねじで固定して縦に装着される。この上前扉用施錠具２０にシリンダ錠は設けてなく、簡単な構造であるから、容易に上前扉３２に装着することができ、また、上前扉３２の意匠性も悪化させることがない。
【００３１】
キャビネット３０側には、断面略Ｌ形で縦長の枠状に形成された受け金具３３が、上下の鉤部２７、２８に対応した位置に係止部３６、３７を各々設けて取付けられる。また、受け金具３３の下部には滑り板３９が設けられる。受け金具３３は、上前扉用施錠具２０と下前扉用施錠具１０の受け具として一体に形成され、一本の枠体上に係止部３４、３５、３６、３７と滑り板３８、３９が鉤部材７、８に対応した位置、鉤部２７、２８に対応した位置、ローラ１１、２６に対応した位置に設けられる。
【００３２】
上前扉３２を閉鎖する場合は、上前扉３２をキャビネット３０に対し押し付けるように閉じると、上下の鉤部２７、２８が受け金具３３の係止部３６、３７に当たり先ず鉤部２７、２８が下方に移動し次に上方に移動して係止部３６、３７との係合が行われ、上前扉３２はロツクされる。また、下前扉３１を閉鎖する場合は、下前扉３１をキャビネット３０に対し押し付けるように閉じると、上下の鉤部７、８が受け金具３３の係止部３４、３５に当たり、先ず鉤部７、８が下方に傾動し次に上方に戻って係止部３４、３５との係合が行われ、下前扉３１はロツクされる。このような閉鎖時、ローラ１１又は２６はキャビネット側の受け金具３３の滑り板３８又は３９にのり、下前扉３１又は上前扉３２が僅かに持ち上げられ、円滑に閉じられる。
【００３３】
図２に示すように、下前扉３１と上前扉３２が閉鎖された状態で、上前扉用施錠具２０の施錠杆２９の解錠用操作部２９ａは、下前扉用施錠具１０の基枠体３の上端部に係合可能（例えば解錠用操作部２９ａの直下に基枠体３の上端部が位置して、解錠用操作部２９ａの下方への移動を阻止する状態）に配置される。このため、針金等を上前扉３２の隙間から差し込んで、上前扉用施錠具２０の施錠杆２９を動かそうとしても、施錠杆２９は解錠側へ動かず、不正解錠を防止することができる。
【００３４】
一方、メダル排出装置に遊技メダルを充填するなどの際に、下前扉３１を開く場合、鍵をシリンダ錠４に差し込み、これを時計（右）方向に回す。シリンダ錠４の錠軸４ｃがカム板５を図４の反時計方向に回し、カム板５上の第二係合部５ｂが連結杆９の係合部に係合し、これを下方に摺動させる。この時、上下の鉤部材７、８が下方へ傾動し、受け金具３３の係止部３４、３５との係合が外れ、解錠状態となり、下前扉３１は開放される。
【００３５】
このように、メダル排出装置に遊技メダルを充填するなどの際には、従来のように大型の前扉を開くのではなく、小型の下前扉３１を開くだけでよいから、簡単に遊技メダルの充填や保守点検等の作業を行うことができる。また、小型の下前扉のみを開放するため、邪魔にならず、重要なキャビネット内上部の制御回路部を収容した部分は上前扉を閉じた状態で作業を行うことができるから、安全に作業を行うことができる。
【００３６】
上前扉３２を解錠する場合は、下前扉３１を開いた状態で、その開口部から上前扉用施錠具２０の下端部に手を差し入れ、その下部に突き出した解錠用操作部２９ａを下に引くように操作する。このとき、上前扉用施錠具２０の施錠杆２９が下に移動してその上下の鉤部２７、２８が係止される受け金具３３の係止部３６、３７との係合が解除され、解錠されて下前扉３１が開放される。
【００３７】
非接触スイッチ１４を動作させてリセットをかける場合、下前扉３１を解錠するための鍵を用いて、解錠とは反対方向つまり反時計方向に鍵を回す。この時、カム板５が図４の時計方向に回動し、その第一係合部５ａを作動杆６の係合部６ａに係合させて作動杆６を上方に動かし、これによって非接触スイッチ１４をオンオフ動作させる。これによって、非接触スイッチ１４からリセット信号が出力されリセットがかかる。
【００３８】
なお、上記実施例では、上前扉用施錠具２０と下前扉用施錠具１０の受け具として、一体に形成された受け金具３３を使用したが、上前扉用施錠具２０の受け金具と下前扉用施錠具１０の受け金具を別個に形成することもできる。
【００３９】
また、上記実施例の下前扉用施錠具１０は、基枠体の上部と下部に鉤部材を傾動可能に枢支し、上下の鉤部材を基枠体の内側に摺動可能に配設した連結杆により連結し、シリンダ錠のカム板の係合部を連結杆に係合させる構造としたが、この下前扉用施錠具も上前扉用施錠具と同様に、施錠杆の上部と下部に鉤部を背面側に突設した構造とし、シリンダ錠のカム板の係合部をその施錠杆に係合させ、シリンダ錠の操作によって施錠杆を摺動させ、同様に鉤部を上または下に移動させて解錠する構造とすることもできる。
【００４０】
【発明の効果】
以上説明したように、本願発明の回胴式ゲーム機の施錠装置によれば、回胴式ゲーム機の前扉が上下に２分割され上前扉と下前扉として装着されている場合であっても、上前扉用施錠具と下前扉用施錠具によって各扉を独立して施錠することができると共に、上前扉用施錠具については、シリンダ錠を設けずに鉤部を上下に有する施錠杆を基枠体内に摺動可能に設けるだけの簡単な構造として、少ない部品点数で簡単に製造することができる。
【００４１】
また、上前扉にはシリンダ錠を露出する箇所を設けなくてもよいから、上前扉の正面の良好な意匠性を保持できる。更に、シリンダ錠は下前扉用施錠具に設けられ、遊技メダルの充填等の際に下前扉を開放する際に解錠されるが、従来のような大型の前扉ではなく、小型の下前扉のみを下前扉用施錠具によって解錠して開放し、メダルの充填や点検作業等を行うことができる。また、小型の下前扉のみを開放するため、邪魔にならず、重要なキャビネット内上部の制御回路部を収納した上前扉は閉じた状態で作業を行うことができるから、安全性を確保することができる。
【図面の簡単な説明】
【図１】本発明の一実施形態を示す回胴式ゲーム機の斜視図である。
【図２】同回胴式ゲーム機の縦断面図である。
【図３】下前扉用施錠具の右側面図である。
【図４】下前扉用施錠具の背面図である。
【図５】上前扉用施錠具の拡大平面図である。
【図６】上前扉用施錠具の右側面図である。
【図７】上前扉用施錠具の背面図である。
【図８】下前扉用施錠具の平面図である。
【図９】下前扉を開放した状態の回胴式ゲーム機の断面図である。
【図１０】下前扉と上前扉を開放した状態の回胴式ゲーム機の断面図である。
【図１１】下前扉用施錠具の施錠状態を示す右側面図である。
【図１２】上前扉用施錠具の施錠状態を示す右側面図である。
【符号の説明】
１−取付板
２−支持板
３−基枠体
４−シリダン錠
５−カム板
７、８−鉤部材
９−連結杆
１０−下前扉用施錠具
２０−上前扉用施錠具
２７、２８−鉤部
２９−施錠杆
３０−キャビネット
３１−下前扉
３２−上前扉
３３−受け金具
３４、３５、３６、３７−係止部
【図１】
0003976527.tif 000002
【図２】
0003976527.tif 000003
【図３】
0003976527.tif 000004
【図４】
0003976527.tif 000005
【図５】
0003976527.tif 000006
【図６】
0003976527.tif 000007
【図７】
0003976527.tif 000008
【図８】
0003976527.tif 000009
【図９】
0003976527.tif 000010
【図１０】
0003976527.tif 000011
【図１１】
0003976527.tif 000012
【図１２】
0003976527.tif 000013